【事件の表示】
　平成　９年特許願第３６０４７６号「携帯撮像記録装置及び機能設定方法」拒絶査定不服審判事件〔平成１１年　７月２１日出願公開、特開平１１−１９４８６８〕について、次のとおり審決する。
【結　論】
　本件審判の請求は、成り立たない。
【理　由】
１．手続きの経緯
　本願は、平成９年１２月２６日の出願であって、平成１９年１２月２５日付けで拒絶査定がなされたところ、これに対して平成２０年２月７日に拒絶査定に対する審判請求がなされ、同年２月１９日に手続補正書が提出されたものである。
　
２．補正却下の決定
　平成２０年２月１９日に提出された手続補正書による補正の却下の決定
　
（１）［補正却下の決定の結論］
　平成２０年２月１９日に提出された手続補正書による補正（以下、「本件補正」という。）を却下する。
　
（２）［補正却下の決定の理由］
（ａ）補正の内容
　本件補正によると、その特許請求の範囲の請求項１は、
「通常画面が表示される表示器にメニュー画面の表示を指示するメニュー画面選択手段と、
　上記メニュー画面選択手段からの指示に基づいて、上記メニュー画面上に、電子機器の複数のグループにグループ分けされた複数の機能設定項目を識別するアイコンの表示を指示する信号を供給する表示指示手段と、
　上記表示指示手段からの指示に基づいて、上記複数の機能設定項目を識別するアイコンを、上記表示器に表示されたメニュー画面上に表示する第１の表示手段と、
　上記メニュー画面上に表示されたアイコンが選択されることによって、上記メニュー画面上に上記選択されたアイコンの機能設定項目のグループ名及び機能設定項目を表示する第２の表示手段と、
　上記第２の表示手段によって上記メニュー画面上に表示された、上記機能設定項目のグループに属する設定項目を選択する第１の選択手段と、
　上記第１の選択手段によって選択され、上記メニュー画面上に表示された機能設定項目の選択項目を選択する第２の選択手段とを有し、
　上記メニュー画面の表示中に上記メニュー画面選択手段が選択されたとき、上記表示器は上記メニュー画面の表示を終了し、通常画面の表示状態に復帰するとともに、上記複数の機能設定項目には、当該携帯撮像記録装置の初期設定の項目と、当該携帯撮像記録装置による撮像映像出力先の表示装置の設定項目と、当該携帯撮像記録装置による撮像映像が記録される記録装置の設定項目とが含まれることを特徴とする携帯撮像記録装置。」
と補正されている。　
　
（ｂ）補正の可否の検討
　以下、本件補正が、特許法第１７条の２第４項第２号に規定する補正の目的の規定に該当するか否かについて検討する。
　本件補正前の特許請求の範囲の請求項１は、平成１９年４月１９日付け手続補正書により補正された次のとおりのものである。
「通常画面が表示される表示器にメニュー画面の表示を指示するメニュー画面選択手段と、
　上記メニュー画面選択手段からの指示に基づいて、上記メニュー画面上に、電子機器の複数のグループにグループ分けされた複数の機能設定項目及び、該グループ分けされた複数の機能設定項目を識別するアイコンの表示を指示する信号を供給する表示指示手段と、
　上記表示指示手段からの指示に基づいて、上記複数の機能設定項目を、上記グループ毎のアイコンと共に、上記表示器に表示されたメニュー画面上に表示する表示手段と、
　上記メニュー画面上に表示されたアイコンを選択することによって、上記メニュー画面上に表示される機能設定項目のグループを選択する第１の選択手段と、
　該第１の選択手段の選択によって、上記メニュー画面上に表示された機能設定項目のグループに属する設定項目を選択する第２の選択手段と、
　該第２の選択手段によって選択され、上記メニュー画面上に表示された機能設定項目の選択項目を選択する第３の選択手段とを有し、
　上記メニュー画面の表示中に上記メニュー画面選択手段が選択されたとき、上記表示器は通常画面の表示状態に復帰することを特徴とする電子機器の機能設定装置。」
　
　本件補正後の請求項１は、補正前の請求項１の「上記メニュー画面選択手段からの指示に基づいて、上記メニュー画面上に、電子機器の複数のグループにグループ分けされた複数の機能設定項目及び、該グループ分けされた複数の機能設定項目を識別するアイコンの表示を指示する信号を供給する表示指示手段」を「上記メニュー画面選択手段からの指示に基づいて、上記メニュー画面上に、電子機器の複数のグループにグループ分けされた複数の機能設定項目を識別するアイコンの表示を指示する信号を供給する表示指示手段」とし、補正前の請求項１の「上記表示指示手段からの指示に基づいて、上記複数の機能設定項目を、上記グループ毎のアイコンと共に、上記表示器に表示されたメニュー画面上に表示する表示手段と、上記メニュー画面上に表示されたアイコンを選択することによって、上記メニュー画面上に表示される機能設定項目のグループを選択する第１の選択手段」を「上記表示指示手段からの指示に基づいて、上記複数の機能設定項目を識別するアイコンを、上記表示器に表示されたメニュー画面上に表示する第１の表示手段と、上記メニュー画面上に表示されたアイコンが選択されることによって、上記メニュー画面上に上記選択されたアイコンの機能設定項目のグループ名及び機能設定項目を表示する第２の表示手段」とする補正を含むものである。
　このような補正前の請求項に記載されている発明特定事項を変更する補正を含む本件補正は、特許法第１７条の２第４項第２号に規定する特許請求の範囲の減縮には該当しない。
　また、この補正は、同条同項１号、３号、４号のいずれに規定する補正の目的にも該当しない。
　
　なお、審判請求人は、請求の理由の「（１）本願発明の説明」において、「なお、請求項１において、第１の表示手段ではメニュー画面上にアイコンのみを表示し、そのアイコンが選択されることで機能設定項目のグループ名や機能設定項目名が表示されるようになると補正した点は、図１のＥ及び明細書の段落００２７に記載がある。すなわち、段落の００２７には、図２Ｂに示されたメニュー画面は、「グループ名２２がテープ設定であるグループを選択し」た画面であることが説明されており、このことから、特定のグループを選択していない状態では、図２Ｂに示されているような機能設定項目名や各機能設定項目の表示は行われない、つまり、図１Ｅに示された各アイコンのみがメニュー画面上表示されていることが分かる。」と主張しているが、本件補正は、上記のように特許法第１７条の２第４項第１〜４号に規定する補正の目的に該当しないものである。
　
（ｃ）まとめ
　したがって、本件補正は、平成１８年法律第５５号改正附則第３条第１項によりなお従前の例によるとされる同法による改正前の特許法第１７条の２第４項の規定に違反するので、同法第１５９条第１項において読み替えて準用する同法第５３条第１項の規定により、却下する。　
　
３．本願発明
　上記のとおり、上記本件補正は却下されたので、本願の請求項１に係る発明（以下、「本願発明」という。）は、平成１９年４月１９日に提出された手続補正書における特許請求の範囲の請求項１に記載された事項により特定される、以下のとおりのものである。
「通常画面が表示される表示器にメニュー画面の表示を指示するメニュー画面選択手段と、
　上記メニュー画面選択手段からの指示に基づいて、上記メニュー画面上に、電子機器の複数のグループにグループ分けされた複数の機能設定項目及び、該グループ分けされた複数の機能設定項目を識別するアイコンの表示を指示する信号を供給する表示指示手段と、
　上記表示指示手段からの指示に基づいて、上記複数の機能設定項目を、上記グループ毎のアイコンと共に、上記表示器に表示されたメニュー画面上に表示する表示手段と、
　上記メニュー画面上に表示されたアイコンを選択することによって、上記メニュー画面上に表示される機能設定項目のグループを選択する第１の選択手段と、
　該第１の選択手段の選択によって、上記メニュー画面上に表示された機能設定項目のグループに属する設定項目を選択する第２の選択手段と、
　該第２の選択手段によって選択され、上記メニュー画面上に表示された機能設定項目の選択項目を選択する第３の選択手段とを有し、
　上記メニュー画面の表示中に上記メニュー画面選択手段が選択されたとき、上記表示器は通常画面の表示状態に復帰することを特徴とする電子機器の機能設定装置。」
　
４．引用例
４−１
　原査定の拒絶の理由に引用された、特開平５−２０７３４３号公報（以下、「引用例１」という。）には、図面とともに、以下のような記載がある。
（イ）「【００１３】
【課題を解決するための手段】そこで、本発明映像機器におけるモード選択装置は上記した課題を解決するために、操作モードに関する主メニューを表示手段に表示し又は表示を消すための第１の入力手段と、メニュー表示された選択肢の内所望の項目を選択するための第２の入力手段と、選択したモードを確定するための第３の入力手段とこれによって確定したモードを保持する保持手段とを設けるとともに、入力手段からの指示に応じて主メニューの配下に階層構造をもって設けられる副メニューを作成し主メニューとともに表示手段に送出し、かつ保持手段による設定モード情報に基づいて現在の設定モードに係る項目を他と区別して表示するメニュー作成手段を設けたものである。
【００１４】
【作用】本発明によれば、第１の入力手段によってメニュー表示を行った後、第２の入力手段により所望のモードを選んでこれを第３の入力手段によって確定するにあたって、主メニューの配下に階層構造をもって設けられる副メニューを作成しこれを主メニューとともに表示してメニュー表示を参照しながらモード設定を行うことができる。
【００１５】よって、操作手順については、主メニューからその下層に位置する副メニューへと順番に進んで行けば良く、また、各メニューにおけるモード設定を選択と確定という統一された操作によって必要最小限のキーのみで行うことができる。
【００１６】そして、モード数の多いサブメニューについては、階層構造を採用することによって表示が煩雑化しないように考慮し、かつ、サブメニューに係るモードの選択時には、主メニューを消さずにこれを残して副メニューとともに表示することにより、最上位である主メニューと副メニューとの観念的なつながりを常に把握することができ、また、現在の設定モードに係る項目を他と区別して表示することによって重複した設定操作の無駄を省くことができる。」（段落【００１３】〜【００１６】）
　
（ロ）「【００１７】
【実施例】以下に、本発明映像機器におけるモード選択装置を、小型ビデオカメラに適用した実施例に従って説明する。
【００１８】図１はビデオカメラ１の概要を示すものである。
【００１９】被写体からの光はレンズ２を通ってＣＣＤ型エリアイメージセンサー等の固体撮像素子３に受光した後カメラ信号プロセス回路４に送出される。
【００２０】カメラ信号プロセス回路４においてマトリクス処理により色再現に係る処理等を施された後の映像出力は混合部５に送られ、ここで後述するＯＳＤＣ（Ｏｎ　Ｓｃｒｅｅｎ　Ｄｉｓｐｌａｙ　Ｃｏｎｔｒｏｌｌｅｒ）部からのメニュー表示信号と合成された後、ＥＶＦ６に送出されたり、ビデオ信号出力端子７を介して図示しない外部モニタ等に出力されるようになっている。
【００２１】８は入力部であり、メニューキー９、選択リング１０、送り／確定キー１１を有する。
【００２２】これらのキーのうち、メニューキー９はモード設定に係るメインメニューの表示を行うために設けられたキーであり、選択リング１０はモード設定に係る選択肢を選択するために設けられており、また、送り／確定キー１１は、あるメニューからその下の階層に位置するサブメニューへの送り（移行）や選択リング１０によって選んだ項目について確定するために設けられている。」（段落【００１７】〜【００２２】）
　
（ハ）「【００２７】メニュー作成部１５は、設定モード状態記憶部１６やカーソル位置記憶部１７、表示データ作成部１８、ＯＳＤＣ部１９とからなっている。
【００２８】表示データ作成部１８は、設定モード状態記憶部１６やカーソル位置記憶部１７の記憶情報を参照しながら、上記キー入力部１２からの信号を受けてメニュー表示情報を作り出してこれをＯＳＤＣ部１９を介して混合部５に送出したり、既定モード等の予め決められている情報については、これらを設定モード状態記憶部１６やカーソル位置記憶部１７に保持するようになっている。
【００２９】図４は、上記ビデオカメラ１におけるメニュー表示を概念的に示すものであり、この例では画面の横方向において、左に行くに従ってメニューの階層が下るように配置された表示形式が用いており、画面の縦方向には同等の資格をもった選択肢が並列的に配列されるように決められている。
【００３０】即ち、画面２０が横方向に亘って３分の１に区分けされており、メインメニューの表示領域２１が最も左寄りに位置、その右隣の領域２２がその直下のサブメニュー（図では「サブ（１）」と記す。）の表示領域とされ、そしてその右隣に位置する領域２３がさらにその下のサブメニュー（図では「サブ（２）」と記す。）の表示領域とされている。」（段落【００２７】〜【００３０】）
　
（ニ）「【００３４】図５乃至図９は、タイトル色を選択する際の操作例を示すものであり、この場合、メインメニューの下には色の選択に係る一のサブメニューだけが存在する。
【００３５】１）メニューキーの押圧。
【００３６】先ず、メニューキー９を押すと図５に示すように画面上にメインメニューが表示される。その際、メインメニューの最上位に位置するモード（図では「撮影モード」）が反転表示され、このモードに対するサブメニューが領域２２に表示される。
【００３７】そして、サブメニューにおいては、既に設定されているモード（図では「ＡＥオート」）が反転表示される。
【００３８】２）選択リングによる「タイトル色」の選択。
【００３９】次に、選択リング１０を回すと、その回転方向に応じてメインメニューの反転表示が上下に移動する（図６参照。）。
【００４０】その際、選択リングの回転速度が遅い場合にはメインメニューのうち反転表示された項目に対してするサブメニューが表示されるが、選択リングの回転速度が速い場合には、メインメニューの選択項目に対するサブメニューの表示は行われない。
【００４１】尚、図６ではメインメニューの項目「タイトル色」に関して現在の設定モードが「アカ」であることが、反転表示によって示されている。
【００４２】３）送り／確定キーの押圧。
【００４３】送り／確定キー１１を押圧すると、図７に示すように、現在の選択されているモード「アカ」の先頭にカーソル２４が表示される。
【００４４】４）選択リングを用いたサブメニューのモード選択。
【００４５】選択リング１０を回すと、その回転方向に対応してカーソル２４が上下方向に移動する（図８ではカーソルが下方に移動し、「クロ」の位置を指している。）。
【００４６】つまり、カーソル２４は、選択リング１０の回転に合わせて選択されるモードを指し示している。
【００４７】尚、既定のモードに対しては、その項目が反転表示されたままである。
【００４８】５）送り／確定キーの押圧。
【００４９】送り／確定キー１１を押すと、図９に示すようにサブメニューのモードが確定する。図ではそれまで「アカ」であったタイトル色が「クロ」に設定される。そして、メインメニューについて選択を行い得る状態に戻る。
【００５０】６）メニューキーの押圧。
【００５１】メニュー表示が画面から消えてこれまで行ってきた一連のモード設定操作が終了する。
【００５２】次に、サブメニューが複数の階層に亘って存在する場合のモード設定操作について、図１０に示す表示例に従って説明する。
【００５３】尚、図１０ではタイトルに関して反転表示を行うか否か、そして各場合におけるスクロールの有無及び向きの指定についての設定例を示している。
【００５４】メインメニューの直ぐ下に位置するサブメニューに係る操作については、上記した１）乃至３）の手順と同様にして行えば良く、メニューキー９の押した後に選択リング１０を用いて「タイトル」を選択してから送り／確定キー１１を押す。
【００５５】４′）選択リングや送り／確定キーの操作。
【００５６】既に送り／確定キー１１の押圧によってサブメニューが表示されているので、選択リング１０によって所望の項目を選んで送り／確定キー１１によりこれを確定する。
【００５７】これによって、その下のサブメニューが表示されるので、上記４）、５）と同様の操作で選択肢の一を選んで確定する。」（段落【００３４】〜【００５７】）
　
（ホ）「【００６６】以上の選択操作を途中で中断する場合には、サブメニューでのモード選択時にメニューキー９を押せば、最後に送り／確定キー１１を押したときの状態に戻り、そのメニュー表示が消えるようになっている。」（段落【００６６】）
　
（ヘ）「【００７０】メニュー表示については、メニュー作成部１５の表示データ作成部１８が設定モード状態記憶部１６やカーソル位置記憶部１７の記憶情報を参照しながら、メインメニューの場合には最上端の項目を反転表示し、またサブメニューの場合には既定モードに係る項目を反転表示して行う。そして、表示データ作成部１８によって得られるメニュー表示データはＯＳＤＣ部１９を介して文字や図形信号となって混合部５で映像信号とスーパーインポーズされ、合成出力がＥＶＦ６や外部モニタに送出される。」（段落【００７０】）
　
（ト）「【００８６】また、メニュー表示に関しては、様々な表現形態を採ることができ、例えば、選択した項目の表示に関して上記の例では、選択項目の指示を３角形状のカーソルによって行ったが、項目の色分けや表示文字に種類を変えることによって選択した項目とそれ以外の項目とを区別するようにしたり、選択した項目をブリンク表示で区別しても良い。
【００８７】そして、選択肢の表現方法についても文字による表示に限らず、アイコンを取り入れたり、また、量の設定、例えば、日時の設定を行うような場合に、図１４に示すように数字を列記するディジタル的な表現形態の他、図１５に示すようバーグラフ表示によるアナログ的な表現形態を採ることができる。
【００８８】そして、メニューの形状に関しても選択肢を直線的に配置する他、曲線的或いは円環状に配置する等、操作や選択肢の把握についての容易性を考慮して決定することが好ましい。」（段落【００８６】〜【００８８】）
　
（チ）「【００９５】また、本発明はビデオカメラに限らず、ＶＴＲ等の映像機器に広く適用することができることは勿論である。」（段落【００９５】）
　
　以上の記載によれば、この引用例１には以下のような発明（以下、「引用例１発明」という。）が開示されていると認められる。
　
「メニュー表示データは映像信号とスーパーインポーズされ、合成出力がＥＶＦや外部モニタに送出され、
　画面上にモード設定に係るメインメニューの表示を行うためのメニューキー９と、モード設定に係る選択項目を選択するための選択リング１０と、あるメニューからその下の階層に位置するサブメニューへの送り（移行）や選択リング１０によって選んだ項目について確定するための送り／確定キー１１を設け、
　上記メニューキー９を押すと画面の表示領域２１にメインメニューの選択項目が表示され、メインメニューの最上位に位置する項目が反転表示され、反転表示されているメインメニューの項目に対するサブメニューの選択項目が表示領域２２に表示され、
　選択リング１０を回すと、その回転方向に応じて上記メインメニューの反転表示が上下に移動し、メインメニューのうち反転表示された項目に対するサブメニューが画面の表示領域２２に表示され、
　送り／確定キー１１を押圧するとサブメニューの選択項目の先端にカーソルが表示され、選択リング１０を回すと、その回転方向に対応して上記カーソルが上下方向に移動して選択される項目を指し示し、
　送り／確定キー１１を押圧すると、上記カーソルが指し示しているサブメニューの項目が確定し、その下の階層のサブメニューの選択項目が画面の表示領域２３に表示され、そのサブメニューの項目を選択リング１０で選択して確定キー１１で確定し、
　選択操作を途中で中断する場合には、サブメニューでのモード選択時にメニューキー９を押せば、最後に送り／確定キー１１を押したときの状態に戻り、そのメニュー表示が消えるようになっており、サブメニューのモードが確定して、メインメニューについて選択を行い得る状態に戻った際に、メニューキー９を押圧するとメニュー表示が画面から消えてこれまで行ってきた一連のモード設定操作が終了するビデオカメラにおけるモード選択装置。」
　
４−２
　原査定の拒絶の理由に引用された、特開平５−２４４５２７号公報（以下、「引用例２」という。）には、図面とともに、以下のような記載がある。
（イ）「【００１３】
【実施例】実施例１．図１は本発明の一実施例を示す子画面に操作画面を表示する映像子画面回路の構成図である。図において、１は入力切り換え回路、２はビデオ・クロマジャングル回路、３は映像子画面処理回路、４はグラフィックコントローラ、５は操作画面メモリ、６は子画面メモリ、７はマトリクス回路、８は映像子画面切り換え回路である。
【００１４】図２は本発明の一実施例を示す概念図である。図において、９は親画面、１０は子画面、１１は親子合成画面、１２はカーソル、１３はリモコンである。
【００１５】図３はジョイスティック付きのリモコンを示す図である。図において、１４はジョイスティック、１５は選択ボタン、１６は解除ボタンである。
【００１６】図４はジョイパッド付きのリモコンを示す図である。図において、１７はジョイパッドである。
【００１７】図５は操作画面の操作の一例を示す図である。図において、１８はメインメニュー、１９，２０はサブメニュー、２１ないし２６はアイコンである。
【００１８】次に動作について説明する。図１を従来例と比較すれば、映像子画面処理回路３と並列にグラフィックコントローラ４と操作画面メモリ５が挿入された以外は従来例と同じであり、重複する部分は省略する。
【００１９】前に述べたように、子画面のテレビ信号は入力切り換え回路１に入力され、映像子画面出力回路８で出力されるまでの信号の処理は従来と同じである。しかし、操作画面の表示要求があった場合、入力切り換え回路１に入って来る信号を遮断し、グラフィックコントローラ４よりメインメニュー等の操作画面とカーソルを操作画面メモリ６に一旦蓄え、親画面の同期に一致するように読み出し、マトリクス回路７と映像子画面切り換え回路８を通って親画面に挿入される。
【００２０】図２は操作の概念を示しており、子画面機能により、親画面９の中に子画面１０を表示され親子合成画面１１となる。上記子画面１０には操作画面を表示する。上記操作画面中にあって機能を指示するカーソル１２はリモコン１３によって操作する。
【００２１】図３は上記リモコン１３を示しており、上記カーソル１２はリモコン１３のジョイスティック１４によって前後左右斜め方向に制御できる。上記カーソルを希望するアイコン上に移動させ、選択ボタン１５を押す。また、選択ミスがあった場合、解除ボタン１６を押すことによって回避する。」（段落【００１３】〜【００２１】）
　
（ロ）「【００２３】図５は操作画面の操作の一例を示しており、メインメニュー１８において、ＡＶイコライジングのアイコン２１上にカーソル１２をリモコン１３のジョイスティック１４で移動させ、選択ボタン１５を押す。これで選択が完了し、ＡＶイコライジングのサブメニュー１９に画面が移り、ＡＶメモリのアイコン２２を選択する。次にＡＶメモリのサブメニュー２０に移り、映像調節の内容が表示さのある機能のアイコン上にカーソル１２をもっていき選択ボタン１５を押したまま、ジョイスティック１４をプラス方向、またはマイナス方向に移動させ、希望の値の場所で選択ボタン１５をはなす。機能変更終了後、メモリのアイコン２５、続いて終了のアイコン２６を選択する。」（段落【００２３】）
　
５．対　比
　本願発明と引用例１発明とを対比する。
　引用例１発明の「ＥＶＦや外部モニタ」は、映像出力を画面に表示するから、本願発明の「通常画面が表示される表示器」に相当する。
　引用例１発明の「メニューキー９」は、押すと画面の表示領域２１にメインメニューの選択項目が表示され、メインメニューの最上位に位置する項目が反転表示され、反転表示されているメインメニューの項目に対するサブメニューの選択項目が画面の表示領域２２に表示されるから、本願発明の「通常画面が表示される表示器にメニュー画面の表示を指示するメニュー画面選択手段」に相当する。
　引用例１発明の「ビデオカメラ」は、本願発明の「電子機器」に相当し、引用例１発明の「ビデオカメラにおけるモード選択装置」は、本願発明の「電子機器の機能設定装置」に相当する。
　引用例１発明の「メインメニューの項目に対するサブメニューの選択項目」は、本願発明の「電子機器の複数のグループにグループ分けされた複数の機能設定項目」及び「機能設定項目のグループに属する設定項目」に相当し、引用例１発明の「メインメニューの選択項目」は、本願発明の「電子機器の複数のグループにグループ分けされた複数の機能設定項目を識別するアイコン」と「電子機器の複数のグループにグループ分けされた複数の機能設定項目を識別する選択項目」の点で共通するといえる。
　引用例１発明は、メニューキー９を押圧すると画面の表示領域２１にメインメニューの選択項目が表示され、メインメニューの最上位に位置する項目が反転表示され、反転表示されているメインメニューの項目に対するサブメニューの選択項目が画面の表示領域２２に表示されるから、本願発明の「メニュー画面選択手段からの指示に基づいて、メニュー画面上に、電子機器の複数のグループにグループ分けされた複数の機能設定項目及び、該グループ分けされた複数の機能設定項目を識別するアイコンの表示を指示する信号を供給する表示指示手段」を有する点と「メニュー画面選択手段からの指示に基づいて、メニュー画面上に、電子機器の複数のグループにグループ分けされた複数の機能設定項目及び、該グループ分けされた複数の機能設定項目を識別する選択項目の表示を指示する信号を供給する表示指示手段」を有する点で共通する。
　引用例１発明の「選択リング１０」と、その操作による処理は、
「選択リング１０」の回転方向に応じてメインメニューの反転表示が上下に移動し、メインメニューのうち反転表示された項目に対するサブメニューの選択項目が表示され、
　上記表示されたサブメニューの項目の先端に表示されたカーソルが、「選択リング１０」の回転方向に応じて上下方向に移動して選択されるサブメニューの項目を指し示し、
　上記選択された項目の下の階層のサブメニューの選択項目が表示され、そのサブメニューの項目を「選択リング１０」で選択するから、
　本願発明の「上記メニュー画面上に表示されたアイコンを選択することによって、上記メニュー画面上に表示される機能設定項目のグループを選択する第１の選択手段」と「上記メニュー画面上に表示された選択項目を選択することによって、上記メニュー画面上に表示される機能設定項目のグループを選択する第１の選択手段」で共通し、また、本願発明の「第１の選択手段の選択によって、上記メニュー画面上に表示された機能設定項目のグループに属する設定項目を選択する第２の選択手段」及び「該第２の選択手段によって選択され、上記メニュー画面上に表示された機能設定項目の選択項目を選択する第３の選択手段」に相当している。
　引用例１発明は、メニューキー９を押圧するとメニュー表示が画面から消えるから、本願発明の「上記メニュー画面の表示中に上記メニュー画面選択手段が選択されたとき、上記表示器は通常画面の表示状態に復帰する」と「上記メニュー画面の表示中に上記メニュー画面選択手段が選択されたとき、そのメニュー画面を消す」点で共通するといえる。
　
　そうすると、両者は、
「通常画面が表示される表示器にメニュー画面の表示を指示するメニュー画面選択手段と、
　上記メニュー画面選択手段からの指示に基づいて、上記メニュー画面上に、電子機器の複数のグループにグループ分けされた複数の機能設定項目及び、該グループ分けされた複数の機能設定項目を識別する選択項目の表示を指示する信号を供給する表示指示手段と、
　上記表示指示手段からの指示に基づいて、上記複数の機能設定項目を、上記グループ毎の複数の機能設定項目を識別する選択項目と共に、上記表示器に表示されたメニュー画面上に表示する表示手段と、
　上記メニュー画面上に表示された上記グループ毎の複数の機能設定項目を識別する選択項目を選択することによって、上記メニュー画面上に表示される機能設定項目のグループを選択する第１の選択手段と、
　該第１の選択手段の選択によって、上記メニュー画面上に表示された機能設定項目のグループに属する設定項目を選択する第２の選択手段と、
　該第２の選択手段によって選択され、上記メニュー画面上に表示された機能設定項目の選択項目を選択する第３の選択手段とを有し、
　上記メニュー画面の表示中に上記メニュー画面選択手段が選択されたとき、そのメニュー画面を消すことを特徴とする電子機器の機能設定装置。」
で一致するものであり、次の（１）、（２）の点で相違している。
　
（１）表示指示手段からの指示に基づいて、メニュー画面上に表示され、選択することによって、メニュー画面に表示される機能設定項目のグループを選択する、「グループ分けされた複数の機能設定項目を識別する（グループ毎の）選択項目」が、本願発明は、「アイコン」であるのに対し、引用例１発明では、メインメニューの選択項目である点。
　
（２）本願発明は、「上記メニュー画面の表示中に上記メニュー画面選択手段が選択されたとき、上記表示器は通常画面の表示状態に復帰する」のに対し、引用例１発明は、「サブメニューでのモード選択時にメニューキー９を押せば、最後に送り／確定キー１１を押したときの状態に戻り、そのメニュー表示が消えるようになっており、サブメニューのモードが確定して、メインメニューについて選択を行い得る状態に戻った際に、メニューキー９を押圧するとメニュー表示が画面から消えてこれまで行ってきた一連のモード設定操作が終了する」点。
　
６．当審の判断
・相違点（１）について
　引用例１には、「そして、選択肢の表現方法についても文字による表示に限らず、アイコンを取り入れたり、また、量の設定、例えば、日時の設定を行うような場合に、図１４に示すように数字を列記するディジタル的な表現形態の他、図１５に示すようバーグラフ表示によるアナログ的な表現形態を採ることができる。」（記載事項（ト）段落【００８７】）と記載されており、メニューの選択項目をアイコンで表現することが示唆されている。
　そして、引用例２には、メインメニュー１８においてアイコン２１を表示し、アイコンを選択すると、選択したアイコンに対応するサブメニューが表示されることが記載されている。
　したがって、引用例１発明において、メインメニューの選択項目を「アイコン」にすることは当業者が容易になし得ることである。
　
・相違点（２）について
　引用例１発明は、サブメニューのモードが確定して、メインメニューについて選択を行い得る状態に戻ったときではあるが、メニューキー９を押圧するとメニュー表示が画面から消えてこれまで行ってきた一連のモード設定操作が終了するものであり、メニューの表示中にメニューキー９が押圧されたとき、画面からメニュー表示を消して通常画面の表示状態にすることが示されている。
　したがって、引用例１発明において、メニュー画面の表示中にメニューキー９が押圧されたとき、表示器は通常画面の表示状態に復帰するようにすることは、当業者が必要に応じて適宜なし得る設計変更にすぎない。
　
　また、本願発明により奏される効果は当業者であれば引用例１発明及び、引用例２記載の技術から予想できる範囲内のものである。
　
７．むすび
　以上のとおり、本願請求項１に係る発明は、引用例１発明及び引用例２に記載された技術に基づいて当業者が容易に発明をすることができたものであるから、特許法第２９条第２項の規定により、特許を受けることができない。
　したがって、本願は、その余の請求項について論及するまでもなく、拒絶すべきものである。
　よって、結論のとおり審決する。